(57)【要約】【課題】本発明は、複数に分割されたセグメントパネルを組み合わせて盤面が構成されることで、構成部品の取り外し及び取り付けを容易なものとする光源露出型看板を提案することを目的とする。【解決手段】光源露出型看板は、盤複数の光源装置を表面から露出させた盤面１と、盤面１によって開口面が覆われた筐体２とを備える。又、盤面１が、複数枚のセグメントパネル１０ａ〜１０ｈに分割される。これにより、筐体２の開口面を覆うようにセグメントパネル１０ａ〜１０ｈを敷設することによって、１枚の盤面１が筐体２の開口面上に構成される。そして、盤面１上に配列された複数の光源装置が発光することにより、光源露出型看板自体が、盤面１の象った文字や図形形状に発光したように見える。【選択図】図１
2010113047.tif 000002
【特許請求の範囲】
【請求項１】
表面より光源装置を露出させた盤面を備え、前記光源装置からの照射光によって文字又は画像を表示する光源露出型看板において、
前記盤面が複数枚のセグメントパネルに分割されていることを特徴とする光源露出型看板。
【請求項２】
請求項１において、
前記盤面を構成する複数枚の前記セグメントパネルのうち、少なくとも１以上には、前記光源装置に電源供給する電源装置が設けられることを特徴とする光源露出型看板。
【請求項３】
請求項１において、
前記盤面は、前記セグメントパネルで覆われる筐体を有し、
前記光源装置に電源供給する電源装置が、前記筐体の内部に設置されることを特徴とする光源露出型看板。
【請求項４】
請求項１乃至請求項３のいずれか一項において、
前記光源装置は、発光素子と光学系によって構成されるとともに、前記発光素子からの直射光と、前記発光素子からの直射光の一部を前記光学系で前記盤面に向かって反射させる反射光と、を照射し、
前記盤面は、前記光源装置の周辺領域の表面で、前記光源装置からの反射光を反射させることを特徴とする光源露出型看板。
【発明の詳細な説明】
【技術分野】
【０００１】
本発明は、表面から露出させた光源を配置して文字や画像を表示する光源露出型看板に関するもので、特に、大型の盤面を構成する光源露出型看板に関する。
【背景技術】
【０００２】
従来、夜間でも内容を確認できる看板として、画像や文字などが印刷された透明フィルムの背後に光源を配置する内照式電飾看板が、商品又は企業の宣伝を目的として、一般に広く利用されている。このような内照式電飾看板以外に、画像や文字の形状に蛍光管やネオン管などの光源を配置し、この光源からの光によって文字や画像をかたどった光源露出型看板がある。このような光源露出型看板において、近年では、蛍光管やネオン管に比べて、画像や文字の形状にあわせた配置が容易となるだけでなく、消費電力が低く且つ寿命が長いことから、光源として発光ダイオード（ＬＥＤ:Light Emitting Diode）が用いられるようになっている。
【０００３】
ＬＥＤを光源ユニットとして備えた光源露出型看板は、ＬＥＤの指向性が高いため、看板の盤面上において、ＬＥＤが配置された部分の発光量に対して、ＬＥＤの配置されていない部分の発光量が急激に低下する。よって、発光表示させる画像や文字の構成領域に、多くのＬＥＤを敷き詰めて配置して、その明るさの均一化を図る必要があった。そのため、看板の盤面における発光させる領域に配置されるＬＥＤの個数が多くなり、光源露出型看板の消費電力化及び軽量化の妨げとなる。
【０００４】
このように盤面に配置するＬＥＤの個数を低減させるために、光源露出型看板に利用する光源装置として、複数のＬＥＤを組み合わせて照射領域を広げた光源装置が提案されている（特許文献１参照）。特許文献１の光源装置は、異なる方向に光軸を傾けた複数のＬＥＤを筐体に載置して構成することで、複数のＬＥＤそれぞれから異なる方向に光を照射する。よって、特許文献１の光源装置は、複数のＬＥＤからの照射光が合成されて照射されるため、その光の照射領域を広げることができ、看板の盤面における明るさの均一化を図れる。そのため、この特許文献１による光源装置を光源露出型看板に採用した場合、光源露出型看板に用いる光源装置の個数が低減できる。
【特許文献１】特開２００８−２２７０１１号公報
【発明の開示】
【発明が解決しようとする課題】
【０００５】
しかしながら、特許文献１の光源装置を盤面に配置して光源露出型看板を構成し、光源装置の個数の低減を図ったとしても、大型の光源露出型看板の場合、盤面を構成するパネル自体に重量がある。又、このような大型の光源露出型看板の多くは、高所などに設置されることが多く、重量のある大型の光源露出型看板の設置作業が困難であった。更に、一部の光源装置や電源装置に交換が必要となったとき、パネルを取り外す必要があるが、大型の光源露出型看板の場合、パネル自体が大きいため、その取り外し作業が困難なものとなってしまう。
【０００６】
このような問題を鑑みて、本発明は、複数に分割されたセグメントパネルを組み合わせて盤面が構成されることで、構成部品の取り外し及び取り付けを容易なものとする光源露出型看板を提案することを目的とする。
【課題を解決するための手段】
【０００７】
上記目的を達成するために、本発明の光源露出看板は、表面より光源装置を露出させた盤面を備え、前記光源装置からの照射光によって文字又は画像を表示する光源露出型看板において、前記盤面が複数枚のセグメントパネルに分割されていることを特徴とする。
【０００８】
このとき、隣接する前記セグメントパネル同士を接続して固定する接続部材を更に備え、前記接続部材によって前記セグメントパネルを固定して、複数枚の前記セグメントパネルを組み合わせて設置することで、前記盤面を構成するものとしてもよい。
【０００９】
このような構成の光源露出型看板において、前記盤面を構成する複数枚の前記セグメントパネルのうち、少なくとも１以上には、前記光源装置に電源供給する電源装置が設けられるものとしてもよい。又、前記盤面は、前記セグメントパネルで覆われる筐体を有し、前記光源装置に電源供給する電源装置が、前記筐体の内部に設置されるものとしてもよい。
【００１０】
又、上述の光源露出型看板において、前記光源装置は、発光素子と光学系によって構成されるとともに、前記発光素子からの直射光と、前記発光素子からの直射光の一部を前記光学系で前記盤面に向かって反射させる反射光と、を照射し、前記盤面は、前記光源装置の周辺領域の表面で、前記光源装置からの反射光を反射させるものであってもよい。
【発明の効果】
【００１１】
本発明によると、複数枚のセグメントパネルを組み合わせて１枚の盤面が構成されるため、盤面１枚分を構成する１枚のパネルに比べ、各セグメントパネルの重量を軽量化できる。このセグメントパネルの軽量化により、各セグメントパネルの取り付け作業及び取り外し作業における作業者への負担が軽減されるため、光源露出型看板の施工作業を簡単化できる。一部の光源装置を交換する場合において、交換が必要な光源装置を搭載したパネルのみを取り外せばよく、電源装置を交換する場合は、対象となる電源装置の交換作業を行うためのセグメントパネルのみを取り外せばよい。よって、光源露出型看板を構成する部品の交換時においても、作業者への負担が軽減され、その交換作業を簡単化できる。
【発明を実施するための最良の形態】
【００１２】
本発明の光源露出型看板の実施の形態について、以下に図面を参照して説明する。図１は、本発明の光源露出型看板の構成を示す正面図である。
【００１３】
１．光源露出型看板の外観構成
図１に示す光源露出型看板は、表示する文字又は図形の形状となるパネル状の盤面１と、この盤面１によって開口面が覆われる筐体２とによって構成される。即ち、光源露出型看板は、盤面１と筐体２とに覆われる閉空間を備え、この盤面１及び筐体２によって構成される閉空間内に、後述する光源装置１１（図２参照）の一部や電源装置３が収容される。よって、後述するように、光源露出型看板は、外観上、盤面１から露出された光源装置１１の光学レンズ４１（図３参照）のみが現れた構成となる。
【００１４】
又、盤面１は、複数枚のセグメントパネル１０ａ〜１０ｈに分割される。即ち、筐体２の開口面を覆うようにセグメントパネル１０ａ〜１０ｈを敷設することによって、１枚の盤面１が筐体２の開口面上に構成される。このように構成される光源露出型看板において、盤面１上に配列された複数の光源装置１１が発光することにより、光源露出型看板自体が、盤面１の象った文字や図形形状に発光したように見える。図１の例では、盤面１が文字「Ｃ」の形状となっているため、光源装置１１を発光させたとき、光源露出型看板が、文字「Ｃ」の形状に発光したように見える。
【００１５】
２．セグメントパネル
セグメントパネル１０ａ〜１０ｈは、図２に示すように、光源装置１１を表面から露出させるための複数の貫通穴をパネル全面に備え、この貫通穴に光源装置１１が裏面側より挿入される。尚、図２には、セグメントパネル１０ａ〜１０ｈを代表して、セグメントパネル１０ｄの正面図を示す。そして、このセグメントパネル１０ａ〜１０ｈに設けられる光源装置１１挿入用の貫通穴は、上下左右に隣接する貫通穴と略等間隔となるように、パネル全面に形成される。これにより、セグメントパネル１０ａ〜１０ｈそれぞれに設置される光源装置１１は、セグメントパネル１０ａ〜１０ｈの表面より露出させたとき、パネル全面に略等間隔に敷設されることとなる。
【００１６】
又、セグメントパネル１０ａ〜１０ｈに設置される光源装置１１は、所定数毎（図２の例では、２４個毎）に１群の光源装置群１１０とされ、１つの光源装置群１１０に対して、１つの直流電源３０（直流電源３０については後述する）が電力供給を行う。即ち、直流電源３０と光源装置群１１０とが１対１の関係であり、この直流電源３０と光源装置群１１０によって構成される電気回路が、直流電源３０に電力供給を行う商用電源に対して並列接続される。よって、セグメントパネル１０ａ〜１０ｈそれぞれに構成される光源装置１１挿入用の貫通穴の設置数は、光源装置群１１０を構成する光源装置１１の個数の整数倍とすることが好ましい。
【００１７】
３．光源装置
光源装置１１は、図３に示すように、樹脂モールド成形によるパッケージカバー４０と、パッケージカバー４０によって光出射側と逆側の面が覆われる光学レンズ４１と、光学レンズ４１に向かって発光する発光ダイオード（ＬＥＤ）４５と、ＬＥＤ４５を搭載した基板４６と、を備える。この光源装置１１における光学レンズ４１は、その光出射側が円筒形状となるとともに、この光出射側の端面は、円錐形状となる出射側凹部４２が形成される。このとき、光学レンズ４１の光出射側の円筒部分の中心軸と、円錐形状となる出射側凹部４２の中心軸とは一致する。この光学レンズ４１は、出射側凹部４２が設けられ光出射側端面と逆側となる光源側端面に、ＬＥＤ４５を収容する光源側凹部４４を備える。
【００１８】
そして、光源側凹部４４は、その開口面が基板４６によって覆われることで、基板４６と光学レンズ４１とによって封止された空間が形成され、この空間内にＬＥＤ４５が配置される。光源側凹部４４内に設置されるＬＥＤ４５は、光を出射する出射端面が出射側凹部４２の頂部に向くように、基板４６上に配置される。即ち、ＬＥＤ４５から出射される光の光軸が、円錐形状となる出射側凹部４２の中心軸と一致するように、ＬＥＤ４５が基板４６上に搭載される。又、ＬＥＤ４５を搭載した基板４６によって光源側凹部４４が覆われた光学レンズ４１は、パッケージカバー４０によって、その光源側凹部４４側がＬＥＤ４５及び基板４６と共に封止される。
【００１９】
このように構成される光源装置１１は、パッケージカバー４０で覆われる部分の断面積が、パッケージカバー４０で覆われていない部分の断面積に比べて広くなる。そのため、図３に示すように、光源装置１１をセグメントパネル１０（図１のセグメントパネル１０ａ〜１０ｈに相当する）の貫通穴にセグメントパネル１０の裏面側から挿入したとき、パッケージカバー４０がセグメントパネル１０に当接する。よって、光学レンズ４１のパッケージカバー４０で覆われていない光出射側の円筒形状部分のみを、セグメントパネル１０の表面から露出させることができる。
【００２０】
そして、光源装置１１は、弾性を備えた光源固定部材１２によって、セグメントパネル１０の裏面側に押圧されることで、パッケージカバー４０がセグメントパネル１０と光源固定部材１２とによって挟持される。光源固定部材１２は、２箇所で屈曲させた略「コ」字形状であり、その両端部分には、屈曲位置から端部に向かう方向と逆側に反った形状を有する。このような光源固定部材１２の両端部分が挿入される固定部材挿入穴１３が、セグメントパネル１０を貫通して設けられる。この固定部材挿入穴１３は、セグメントパネル１０において、光源装置１１の光学レンズ４１が挿入される貫通穴の周囲に設けられる。
【００２１】
よって、光源装置１１は、セグメントパネル１０の裏面側から貫通穴に挿入され、パッケージカバー４０がセグメントパネル１０の裏面に当接して、光学レンズ４１がセグメントパネル１０の表面より露出させた位置に設置される。そして、セグメントパネル１０の裏面側から、弾性変形させた光源固定部材１２の両端部分を、光源装置１１の設置位置の周囲に設けられた固定部材挿入穴１３に挿入する。このとき、光源固定部材１２自身の弾性によって広がるため、固定部材挿入穴１３に挿入された光源固定部材１２の両端部分が、セグメントパネル１０の固定部材挿入穴１３の周辺部分で係止する。これにより、光源固定部材１２が、光源装置１１のパッケージカバー４０に当接した状態で、セグメントパネル１０に固定設置される。そのため、光源装置１１は、セグメントパネル１０の裏面と光源固定部材１２とによってパッケージカバー４０が挟持されることによって、セグメントパネル１０に固定設置される。
【００２２】
又、上述したように、セグメントパネル１０において、電気的に接続された所定数の光源装置１１によって、１つの光源装置群１１０（図２参照）が構成される。このとき、セグメントパネル１０に固定された光源装置１１は、セグメントパネル１０の裏面側において、図４又は図５に示すように、光源装置群１１０毎に配線ケーブル１５によって電気的に接続される。このとき、隣接して配置される光源装置１１間を接続する配線ケーブル１５は、図４（ａ）、図４（ｂ）、又は、図５に示すような状態で設置することで、光源装置１１をセグメントパネル１０において効率的に設置できる。
【００２３】
図４（ａ）においては、配線ケーブル１５が「Ｕ」字形状となるように設置されて、隣接する光源装置１１同士を接続して、光源装置１１間を電気的に接続する。このとき、図４（ａ）に示すように、紙面上に左右に隣接する光源装置１１に対して上下となる位置に、配線ケーブル１５が設置される。即ち、光源装置１１の上側で接続される配線ケーブル１５は、左側に隣接する光源装置１１の上側で接続され、光源装置１１の下側で接続される配線ケーブル１５は、右側に隣接する光源装置１１の下側で接続される。尚、配線ケーブル１５の光源装置１１に対する上下位置については、図４（ａ）と逆となってもよい。
【００２４】
図４（ｂ）においては、「Ｓ」字形状となるように設置され配線ケーブル１５により隣接する光源装置１１同士が接続されて、光源装置１１が電気的に接続される。このとき、図４（ｂ）に示すように、光源装置１１は、光源装置１１同士の隣接方向に対して斜めに傾斜して設置され、紙面上に左右に隣接する光源装置１１の間に「Ｓ」字形状の配線ケーブル１５が設置される。即ち、配線ケーブル１５の左端が、左側の光源装置１１の右上側に接続され、配線ケーブル１５の右端が、右側の光源装置１１の左下側に接続される。尚、光源装置１１及び配線ケーブル１５それぞれの傾斜については、図４（ｂ）と逆となってもよい。
【００２５】
図５においては、隣接する光源装置１１の間で１回巻いた状態で設置された配線ケーブル１５が、隣接する光源装置１１それぞれに接続されて、光源装置１１が電気的に接続される。このとき、配線ケーブル１５で接続される２つの光源装置１１は、配線ケーブル１５との接続部分が対向するように配置される。又、この光源装置１１は、セグメントパネル１０の端辺に対して平行に並ぶように設置される。そして、配線ケーブル１５は、その光源装置１１との接続部分が、巻かれることで形成されたリング状の部分よりも、セグメントパネル１０の端辺に近い位置とされる。これにより、セグメントパネル１０を筐体２に設置して盤面１を形成する際、配線ケーブル１５がセグメントパネル１０同士の接続部分で干渉することがない。即ち、配線ケーブル１５がセグメントパネル１０を設置する際の障害となることを防ぐことができる。
【００２６】
このようにセグメントパネル１０に固定設置される光源装置１１による光の照射について、図３に模式的に示した光の経路を参照して以下に説明する。ＬＥＤ４５より出射される光は、その光軸が光学レンズ４１の中心軸と一致する。そのため、この光学レンズ４１中心軸に沿って出射するＬＥＤ４５からの光の一部である、光学レンズ４１の出射側凹部４２の頂部近傍を照射する光は、そのまま光学レンズ４１を透過して、直射光５１として外部に出射される。
【００２７】
又、ＬＥＤ４５から出射される光は、直射光５１を中心に広がりを有するため、光学レンズ４１の出射側凹部４２の頂部近傍よりも広い領域を照射する。この直射光５１よりも広がった領域を照射するＬＥＤ４５の光は、その大部分が、光学レンズ４１の出射側凹部４２における境界面４３で反射する。この光学レンズ４１の境界面４３で反射した反射光５２は、光学レンズ４１を透過して、セグメントパネル１０の表面に向かって照射される。そして、光学レンズ４１を透過して出射した反射光５２は、セグメントパネル１０の表面に到達すると、セグメントパネル１０の表面で反射して、直射光５１の出射方向に向かって照射される。
【００２８】
このとき、セグメントパネル１０は、艶消し塗装やエンボス処理やブラスト処理などが施されて、凹凸を有した層が表面に形成されることで、反射光５２が反射する方向が無作為となる。これにより、光学レンズ４１を透過して出射した反射光５２は、セグメントパネル１０の表面で無作為に反射することで、直射光５１の出射方向に向かって拡散光５３が照射される。これにより、セグメントパネル１０からは、光源装置１１からの直接照射される直射光５１と、この直射光５１の周辺領域を反射して照射される拡散光５３とが照射される。よって、光源装置１１から光を出射しているセグメントパネル１０からの発光量を、セグメントパネル１０全面でほぼ均一化でき、セグメントパネル１０全面の明るさを均一化できる。
【００２９】
４．光源露出型看板の内部構成
光源露出型看板の内部構成について、図６を参照して説明する。図６は、図１の光源露出型看板の一部の断面図である。図６に示すように、筐体２は、底板２１と、底板２１に対して垂直な方向に立設した側壁２２とによって構成され、底板２１に対向する面が開口面とされる。そして、側壁２２には、セグメントパネル１０の端辺側が接続される盤面固定用枠２３が、筐体２の開口面側において、筐体２の内側に向かって凸設される。又、底板２１には、隣接するセグメントパネル１０同士を接続して設置するための盤面固定用支柱２４が、筐体２の開口面に向かって延びるように設置される。
【００３０】
このような構成の筐体２は、その開口面が、複数の光源装置１１が光源固定部材１２により固定設置されたセグメントパネル１０で覆われる。このとき、セグメントパネル１０の裏面の端辺側部分が、筐体２の盤面固定用枠２３及び盤面固定用支柱２４それぞれに当接する。そして、セグメントパネル１０は、盤面固定用ボルト１４によって、盤面固定用枠２３及び盤面固定用支柱２４と締結されることで、筐体２の開口面上に固定設置される。即ち、盤面固定用枠２３、盤面固定用支柱２４、及び盤面固定用ボルト１４は、セグメントパネル１０を接続して盤面１を形成するための接続部材として機能する。
【００３１】
又、光源装置１１におけるＬＥＤ４５（図３参照）に直流電流を供給する直流電源３０が、電源固定用ボルト３１によって、筐体２の底板２１に固定設置される。この直流電源３０は、電気的に接続される所定数の光源装置１１により構成される光源装置群１１０（図２参照）毎に設置される。即ち、光源装置群１１０の数と同数の直流電源３０が、筐体２の底板２１に固定設置される。よって、セグメントパネル１０が盤面固定用枠２３及び盤面固定用支柱２４に固定される前に、筐体２に設置された複数の直流電源３０に対して、各直流電源３０に対応したセグメントパネル１０に設置された光源装置１１が電気的に接続される。このとき、セグメントパネル１０の裏面側に配置される光源装置１１のパッケージカバー４０や固定部材１２は、直流電源３０と共に、セグメントパネル１０に覆われた筐体２の内部に設置されることとなる。
【００３２】
この直流電源３０と光源装置１１の電気的な関係について、図７の回路図を参照して説明する。図７に示すように、光源装置群１１０を構成する所定数の光源装置１１におけるＬＥＤ４５は、直列に接続される。そして、このＬＥＤ４５が直列に接続された直列回路による光源装置群１１０に対して、直流電源３０より直流電流が供給される。即ち、光源装置群１１０毎に、ＬＥＤ４５が直列に接続されるとともに直流電源３０が接続された直列回路が形成される。又、複数の直流電源３０によって電源装置３が構成され、この電源装置３に対して商用電源４より交流電流が供給される。即ち、商用電源４に対して、電源装置３内の直流電源３０が並列に接続される。この商用電源４に入力側が接続された直流電源３０は、商用電源４からの交流電流を、一定値となる直流電流に変換して、所定数のＬＥＤ４５の直列回路となる光源装置群１１０に出力する。
【００３３】
光源装置１１及び直流電源３０の接続関係が上述のような関係とされるとき、セグメントパネル１０に設けられた光源装置１１と、筐体２に設けられた直流電源３０とを電気的に接続するために、盤面側端子６１と筐体側端子６２とが、光源装置群１１０毎に設けられる。即ち、セグメントパネル１０は、光源装置群１１０毎に、直列に接続された光源装置１１のＬＥＤ４５のうちの最端部に位置するＬＥＤ４５のアノードに接続された盤面側端子６１を備える。一方、筐体２は、直流電源３０の出力側に接続された筐体側端子６２を備える。よって、セグメントパネル１０には、光源装置群１１０の群数と同数の盤面側端子６１が設けられ、筐体２には、直流電源３０の個数と同数の筐体側端子６２が設けられる。
【００３４】
そして、セグメントパネル１０が筐体２に固定設置されるとき、盤面側端子６１と筐体側端子６２とが接続されることによって、各光源装置群１１０におけるＬＥＤ４５による直列回路が、電源装置３の直流電源３０と電気的に接続される。これにより、電源装置３に対して、各光源装置群１１０におけるＬＥＤ４５の直列回路が並列に接続されることとなる。換言すれば、商用電源４に対して、直流電源３０及び光源装置群１１０を構成する複数のＬＥＤ４５による直列回路が並列に接続されることとなる。
【００３５】
５．光源露出型看板の内部構成の別例
又、光源露出型看板の内部構成の別例について、図８を参照して説明する。図８は、図１の光源露出型看板の一部の断面図である。本例における構成は、図８に示すように、図６の構成と異なり、直流電源３０をセグメントパネル１０に固定設置する。その他の構成については、図６の構成例と同様となる。よって、セグメントパネル１０に固定設置される直流電源３０以外の構成については、図６による構成における説明を参照するものとして、その詳細な説明は省略する。
【００３６】
図８に示すように、２箇所を屈曲させた「コ」字形状の断面を備える電源固定用架台３２は、その脚部が架台固定用ナット３３で締結されることで、セグメントパネル１０の裏面側に固定設置される。この電源固定用架台３２は、筐体２の底板２１に対向する面に直流電源３０が搭載される。そして、直流電源３０は、電源固定用ボルト３１で締結されることで、電源固定用架台３２に固定設置される。又、セグメントパネル１０の裏面側には、光源装置１１の設置領域の間となる領域に、架台固定用ナット３３が締結される架台固定用ボルト３４が筐体２の底板２１に向かって凸設される。よって、直流電源３０が電源固定用ボルト３１によって固定された電源固定用架台３２は、その脚部を貫通させたセグメントパネル１０の架台固定用ボルト３４に架台固定用ナット３３が螺合されることで、セグメントパネル１０に固定設置される。
【００３７】
このように電源固定用架台３２を介して直流電源３０が設置されたセグメントパネル１０は、図６の構成と同様、筐体２の開口面を覆うように設置される。このとき、光源装置１１と直流電源３０とは、セグメントパネル１０において既に電気的に接続されているため、まず、筐体２内部の商用電源４からの配線と直流電源３０とを電気的に接続する。その後、盤面固定用ボルト１４が締結されることで、セグメントパネル１０が、盤面固定用枠２３及び盤面固定用支柱２４に固定される。このとき、セグメントパネル１０の裏面側に配置される光源装置１１のパッケージカバー４０、固定部材１２、直流電源３０、及び、電源固定用架台３２は、セグメントパネル１０に覆われた筐体２の内部に設置されることとなる。
【００３８】
この直流電源３０と光源装置１１の電気的な関係について、図９の回路図を参照して説明する。本構成例においても、図９に示すように、光源装置群１１０を構成する所定数の光源装置１１におけるＬＥＤ４５が、直列に接続され、光源装置群１１０毎にＬＥＤ４５による直列回路が形成される。又、商用電源４に対して並列に接続された直流電源３０の出力側が、直列に接続された光源装置１１のＬＥＤ４５のうちの最端部に位置するＬＥＤ４５のアノードに直接接続される。即ち、セグメントパネル１０には、セグメントパネル１０に構成される光源装置群１１０の群数と同数の直流電源３０によって、電源装置３が構成される。
【００３９】
このように、セグメントパネル１０毎に電源装置３が構成される本構成例では、電源装置３を構成する直流電源３０の入力側が並列に接続された盤面側端子６３が、セグメントパネル１０に設けられる。そして、筐体２には、商用電源４と接続される筐体側端子６４が設けられる。よって、セグメントパネル１０それぞれが、上述の直流電源３０を備える場合、１つの盤面側端子６３が、各セグメントパネル１０に設けられるとともに、盤面１を構成するセグメントパネル１０の枚数と同数の筐体側端子６４が、筐体２に設けられる。これにより、セグメントパネル１０を筐体２に設置する際、図６及び図７の構成と比べて、盤面側端子６３と筐体側端子６４との接続回数が少なくなるため、セグメントパネル１０の取り付け作業や交換作業にかかる負担を低減できる。
【００４０】
尚、盤面１を構成するセグメントパネル１０の一部について、光源装置１１のみが構成され、この光源装置１１それぞれに直流電流を供給する直流電源３０が、別のセグメントパネル１０に搭載されるものとしてもよい。このとき、光源装置１１のみを搭載したセグメントパネル１０は、図６及び図７に示す構成となり、光源装置群１１０毎に盤面側端子６１を有した構成となる。そして、他のセグメントパネル１０の光源装置１１に直流電流を供給する直流電源３０を備えたセグメントパネル１０には、盤面側端子６３に加えて、他のセグメントパネル１０の光源装置１１に直流電流を供給する直流電源３０に接続された筐体側端子６１と同様の形状の電源側端子が設けられる。又、図６及び図７に示す構成のセグメントパネル１０と、図８及び図９に示す構成のセグメントパネル１０とを混在させるものとしてもよい。
【産業上の利用可能性】
【００４１】
本発明は、ＬＥＤやネオン管や蛍光管などの光源を盤面上に露出させた光源露出型看板に適用できる。
【図面の簡単な説明】
【００４２】
【図１】は、本発明の光源露出型看板の構成を示す概略正面図である。
【図２】は、図１に示す光源露出型看板のセグメントパネルの構成を示す概略正面図である。
【図３】は、光源装置の内部構成を示す概略断面図である。
【図４】は、図１の光源露出型看板に設けられた光源装置の配置と接続関係の一例を示すもので、（ａ）、（ｂ）それぞれは、盤面の裏面側からの外観図である。
【図５】は、図１の光源露出型看板に設けられた光源装置の配置と接続関係の一例を示す、盤面の裏面側からの外観図である。
【図６】は、図１の光源露出型看板の内部の構成を示す断面図である。
【図７】は、図６に示す断面構造を備えた光源露出型看板における、電源装置と光源装置との接続関係を示す回路図である。
【図８】は、図１の光源露出型看板の別例となる内部の構成を示す断面図である。
【図９】は、図８に示す断面構造を備えた光源露出型看板における、電源装置と光源装置との接続関係を示す回路図である。
【符号の説明】
【００４３】
１                  盤面
２                  筐体
３                  電源装置
４                  商用電源
１０                セグメントパネル
１０ａ〜１０ｈ      セグメントパネル
１１                光源装置
１２                光源固定部材
１３                固定部材挿入穴
１４                盤面固定用ボルト
１５                配線ケーブル
２１                底板
２２                側壁
２３                盤面固定用枠
２４                盤面固定用支柱
３０                直流電源
３１                電源固定用ボルト
３２                電源固定用架台
３３                架台固定用ナット
３４                架台固定用ボルト
４０                パッケージカバー
４１                光学レンズ
４２                出射側凹部
４３                境界面
４４                光源側凹部
４５                発光ダイオード（ＬＥＤ）
４６                基板
５１                直射光
５２                反射光
５３                拡散光
６１，６３          盤面側端子
６２，６４          筐体側端子
１１０              光源装置群
【図１】
2010113047.tif 000003
【図２】
2010113047.tif 000004
【図３】
2010113047.tif 000005
【図４】
2010113047.tif 000006
【図５】
2010113047.tif 000007
【図６】
2010113047.tif 000008
【図７】
2010113047.tif 000009
【図８】
2010113047.tif 000010
【図９】
2010113047.tif 000011